(57)【特許請求の範囲】
【請求項１】
マットと芯材とを有する医療用体位保持具であって、
前記マットは、気密性袋とクッション層とからなり、
前記気密性袋は、人体の体位を支えるマットのカバーであり、ガスバリア性を有し、給・排気孔を備え、
前記給・排気孔は、医療用体位保持具の使用時に前記気密性袋内を脱気して前記気密性袋内を減容させ、使用後は減容した前記気密性袋に外気を吸引させるものであり、
前記クッション層は、前記気密性袋内に充填され、前記気密性袋内の脱気によって固化する粒状体の積層であり、
前記芯材は、粒状体が充填された前記気密性袋の一部を支えて人体の特定部位を受け入れるに必要な形状に賦形するものであることを特徴とする医療用体位保持具。
【請求項２】
前記芯材は、板状の支えであり、前記気密性袋の内面又は外面の側面に取り付けて前記気密性袋に一定の立ち上がり高さを確保させるものであることを特徴とする請求項１に記載の医療用体位保持具。
【請求項３】
前記芯材はストッパであり、前記気密性袋の上面と下面とに取り付けて前記マットの立ち上がり高さを制限するものであることを特徴とする請求項１に記載の医療用体位保持具。
【請求項４】
前記芯材は枠棒であり、予め定めた形状に屈曲され、前記気密性袋に取り付けて前記気密性袋を人体の特定部位を受け入れるに必要な形状に屈曲変形させ、その変形形状を保持させるものであることを特徴とする請求項１に記載の医療用体位保持具。
【請求項５】
前記芯材は、予め所定形状に成形された弾力性を有する板状のホルダーであり、対の支持面部とヒンジ部とを有し、
前記対の支持面部は、前記マットを支える面であり、前記ヒンジ部を挟んでその両側に外開きに支えられたマットの支持面であり、
前記マットは前記ヒンジ部を挟んで両支持面部上に跨って支えられ、
前記ヒンジ部は、人体の特定部位の重力を受けて弾性変形し、対の支持面部の間隔を狭め、前記ヒンジ部を挟んで両支持面部上に跨って前記対の支持面部上に支えられた前記マットを人体の特定部位に圧着させるものであることを特徴とする請求項１に記載の医療用体位保持具。
【発明の詳細な説明】
【技術分野】
【０００１】
本発明はＭＲＩなどの画像診断、放射線治療、各種外科手術などの医療行為の際に被験者あるいは患者の体位を一定に保持する医療用体位保持具に関する。この明細書において、「体位」とは体の特定の位置、姿勢を意味する用語として用いている。
【背景技術】
【０００２】
例えば、ＭＲＩ画像診断や放射線治療の場合に、診断あるいは治療中は、被験者、患者の人体の特定の部位を動かないように固定して人体を一定の姿勢に保持しておくことが必要である。
従来より、物品の包装用あるいは支持用のマットとして脱気用の排気弁を備えた気密性の袋内に粒状体の定量を空気とともに収容したタイプのマットが知られている。
【０００３】
このタイプのマットによれば、マットの気密性袋の上面に物品を載せると、物品の重みで袋の一部に窪みが形成され、そのまま袋内の空気を排出すれば粒状体の充填密度が増大し、袋が物品の形状の一部を象って固化するため、袋上に物品を安定に支えることができる。
【０００４】
このタイプのマットは、物品の支持や包装用として利用されるだけでなく、人体のクッションとしても利用されており、さらには、医療の分野でも注目され、画像診断、あるいは外科手術などを行う際の医療用体位保持用としての活用が期待されている（特許文献１、２参照）。
【０００５】
上記形式のマットを人体の体位保持の目的に用いて診断、あるいは手術を行う際には、人体の特定の部位を一定時間動かないように固定する目的に使用するマットを体位保持マットという（以下説明を簡単にするため、単にマットと略称することがある）。
【０００６】
体位保持マットをたとえば、被験者がベッド上に仰向けに横たわった姿勢で頭部のＭＲＩ画像診断を行う場合には、頭部に無理な力が加えられないように頸部を含めて頭部が動かないように固定することが必要である。
【０００７】
被験者が上向き姿勢でベッド上に横臥したときには、頭部をベッド上で少し持ち上げて正しい姿勢となる。したがって、この姿勢を保とうとすると、ベッド上に支える頭部とベットの表面の間に高低差が生じることになる。
【０００８】
体位保持マットはベッドと頭部との間の高低差を埋めて体位を安定させるために使用するのであるが、従来の体位保持マットの気密性袋内に封入された粒状体は、合成樹脂製のビーズのため、滑りやすく、適量を一定高さに積み上げようとしても積み上げた粒状体Ｐは図１２のようにサラサラと流れてなだらかな山形に戻ってしまい、十分な立ち上がり高さを確保できない。
【０００９】
このため、体位保持マット枕としてその上面に頭部Ｈをのせ、空気ポンプ（図示略）を用いてマット１５の気密性袋１６内を脱気すると、マット１５と頭部Ｈ及び頸部Ｎとの間に隙間ｄが残されたまま固化し、頭部Ｈは、図１１（ａ）のように後頭部の僅かな部分が体位保持マット１５のマット面に支えられるものの頭部Ｈの両側や頸部Ｎの両側は図１１（ｂ）、（ｃ）のようにマット面で支えることができない。
図１１（ａ）中、頭部Ｈおよび頸部Ｎとマット１５の面との間の隙間を破線ｄで示している。
【００１０】
もっとも、図１３（ａ）のように体位保持マット１５の一部を頸部Ｎと頭部Ｈに押し付けた状態で脱気すれば、図１３（ｂ）、（ｃ）のように頭部Ｈの両側や頸部Ｎの両側に密着させた状態で固化することはできるが、体位保持マット１５の底の一部や両側縁が持ち上げられることになってベッドＢ上での体位保持マット１５の支持が不安定となり、頭部Ｈを定位置に安定させることができない。
【先行技術文献】
【特許文献】
【００１１】
【特許文献１】特開２００７−２９２４９
【特許文献２】特開２００９−１１２３８０
【発明の概要】
【発明が解決しようとする課題】
【００１２】
解決しようとする問題点は、一般に合成樹脂製の粒状体は滑りやすく、適量を一定高さに積み上げようとしても積み上げた粒状体がサラサラと流れてなだらかな山形に戻ってしまい、十分な立ち上がり高さを確保できない点、また、体位保持マットの一部を人体に押し付けた状態で袋内を脱気すれば、体位保持マットを人体に密着させた状態で固化することはできるが、ベッド上での体位保持マットそのものの支持が不安定となって体位を安定させることができないという点である。
【００１３】
このような問題は頭部の保持だけに限らない。体位保持マットを用いてたとえば手足を一定角度で曲げた姿勢でベッド上に固定する場合や腰部をベッド上に固定する場合などにおいても同様の問題が生じる。
【課題を解決するための手段】
【００１４】
本発明はマットと芯材との組合せによって人体の安定保持を可能にしたものである。前記マットは、気密性袋内に粒状体の積層が充填されたものであり、芯材は、粒状体が充填された気密性袋の少なくとも一部を支えてマットの表面に人体の特定部位を受け入れるに必要な形状に賦形することを最大の特徴としている。この明細書において「賦形」の語は、「形を与える・形作る」の意味に用いている。
【発明の効果】
【００１５】
本発明によれば、粒状体が充填された気密性袋の少なくとも一部を芯材で支え、マットの気密性袋の表面に賦形された凹部や凸部に人体の特定部位を支え、次いで気密性袋内を脱気してマットを固化すると、マットは人体の特定部位を象って密着した状態で固定するため、診断または施術中被験者、患者の体位を安定させることができる。
【図面の簡単な説明】
【００１６】
【図１】マットの表面に人体の特定部位を受け入れるに必要な形状に賦形された実施例１のマットの一部断面斜視図である。
【図２】実施例１のマットの側面図である。
【図３】（ａ）は実施例１の芯材として用いる板状の支えの取り付け状態を示す図、（ｂ）は板状の支えの他の例を示す図、（ｃ）は実施例１の芯材に用いるストッパの取り付け状態を示す図である。
【図４】実施例１のマットに被験者の頭部を載せる要領を示す図である。
【図５】実施例１のマットに被験者の頭部を載せて気密性袋内を脱気した状態を示す図である。
【図６】（ａ）は芯材として直線状の枠棒を用いて脱気に伴う気密性袋の収縮を抑制する場合の例を示す図、（ｂ）は（ａ）のＡ−Ａ線断面拡大図である。
【図７】（ａ）、（ｂ）は実施例２の芯材として長手方向に沿って予め定めた上凸状と下凸状の湾曲形状に屈曲させた枠棒を用いる例を示す図である。
【図８】実施例２の芯材に湾曲形状の枠棒を用いてマットを変形させた例を示す一部断面斜視図である。
【図９】実施例３の芯材に弾力性を有する板状のホルダーを用いてマットを支えた状態を示す斜視図である。
【図１０】実施例３の芯材に用いた板状のホルダーの両支持面部が被験者の頭部の重量を受けて間隔が狭まり、両支持面部に支持されたマットが頭部の両側面に押し付けられた状態を示す図である。
【図１１】（ａ）は従来の体位保持マットの上面に形成された凹所内に頭部及び頸部を受け入れて気密性袋内を脱気し、マットを固化した状態を示す断面図である。（ｂ）は（ａ）のＣ−Ｃ線断面図、（ｃ）は（ａ）のＤ−Ｄ線断面図である。
【図１２】マット内の粒状体を積み上げてもサラサラと流れてなだらかな山形に戻り、十分な立ち上がり高さを確保できない状況を示す図である。
【図１３】（ａ）は従来の体位保持マットを人体の頭部及び頸部に押し付けた状態でマットの上面に形成された凹部内に頭部及び頸部を受け入れて気密性袋内を脱気し、マットを固化した状態を示す断面図である。（ｂ）は（ａ）のＥ−Ｅ線断面図、（ｃ）は（ａ）のＦ−Ｆ線断面図である。
【発明を実施するための形態】
【００１７】
本発明による医療用体位保持具は、マットと芯材との組合せである。前記マットは、気密性袋とクッション層とからなり、前記気密性袋は、人体の体位を支えるマットのカバーであり、ガスバリア性を有し、脱気用の排気弁が取り付けられている。前記クッション層は、前記気密性袋内に充填された粒状体の積層である。マットに組み合わされる芯材は、粒状体が充填された気密性袋の少なくとも一部を支えてその立ち上がり高さを規制し、マットの表面に人体の特定部位を受け入れるに必要な形状に賦形するものである。
以下に本発明の医療用体位保持具を構成する各構成要素を説明する。
【００１８】
（１）マットのカバーに用いる気密性袋について
マットのカバーに用いる気密性袋の生地は気密を要するほか、マットのカバーとして人体に違和感のない柔軟な材質の生地を用いることが望ましい。
【００１９】
上記条件を満たす生地は、たとえば、フィルム状の生地に樹脂をコーティングあるいはラミネートして生地にガスバリア性を付与することによって得られる。生地には耐久性が要求されることからナイロン生地が望ましく、生地にコーティングあるいはラミネートするフィルムには生地に溶着しやすいＰＶ（塩化ビニル）、ＰＵ（ポリウレタン）が適している。
【００２０】
生地の厚さは柔軟性に大きく影響する。柔軟性を高めるには薄いほうが望ましいが、マットのカバーとしての必要な強度やガスバリア性を考慮しておよそ１ｍｍ〜０．２ｍｍ程度に設定するのが好ましい。また、CＴ検査やＭＲＩ検査に備えてＸ線を透過しやすく、また非磁性体の材質が選定されていることが望まれる。
【００２１】
（２）クッション層について
クッション層は、前記気密性袋内に充填された粒状体の積層である。
粒状体のサイズ、形状、硬さには制約がなくどのようなものであっても用いることができるが、人体の特定部位の形状に正確にフィットさせるには可能な限り粒径が小さいほうが望ましい。さらに取扱上や人体の特定部位の形状にフィットさせる操作の上は軽量であることが望ましいことから、合成樹脂発泡体の粒子が適しており、特にＰＳ（ポリスチレン）、ＰＥ（ポリエチレン）発泡体の粒子が適している。
【００２２】
人体の特定部位の形状保形を優先させる場合には低発泡倍率のＰＳ樹脂発泡体が適し、クッション性を優先させる場合には高発泡倍率のＰＵ、ＰＥ樹脂発泡体を用いるが、勿論これらの樹脂をブレンドして中間的な性質を持たせることができる。マットのカバーである気密性袋は方形の表面材と下面材との間にクッション層として予め定量の粒状体を充填して周縁を気密に封止し、表面材の一部に脱気用の排気弁が取り付けられる。
【００２３】
（３）芯材について
芯材は、粒状体が充填された気密性袋の少なくとも一部を支えてマットを人体の特定部位を受け入れるに必要な形状に賦形するものである。
芯材は後に説明するように、マットの立ち上がり高さを確保する「板状の支え４」（図３（ａ）参照）、マットの立ち上がり高さを制限する「ストッパ６」（図３（ｂ）参照）、マットを長さ方向に支えて強制的に変形させる「枠棒１１」（図７参照）、マットで人体の特定部位をはさんで圧着する「板状のホルダー１２」（図９参照）など様々な形態で用いられる。
【実施例】
【００２４】
以下に本発明の実施例として例えばＭＲＩ画像診断を受ける被験者の特定の体位、この実施例ではマット上に頭部と頸部をささえて一定の体位を保持させる例を説明する。
【００２５】
（実施例１）
図１、図２において、この実施例は、マット１内のカバーである気密性袋２の方形の上面材２ａと下面材２ｂとの間にクッション層３として予め定量の粒状体Ｐを充填するとともに第１の芯材として板用の支え４を選定し、第２の芯材としてストッパ６を選定してこれらを上面材２ａと下面材２ｂとに取り付け、上面材２ａと下面材２ｂの周縁を封止した例である。脱気用の排気弁７は上面材２ａの隅に装着されている。
第１の芯材として用いる板状の支え４は、図３（ａ）に示すように自立可能な可撓性を有する板であり、上面材２ａと下面材２ｂの接合面９に跨って気密性袋２の側面（内面又は外面）に接着や気密性を確保したうえで縫着によって取り付けられ、気密性袋２に一定の幅で一定の立ち上がり高さを確保させるものである。
【００２６】
第１の芯材として板状の支え４を上面材２ａと下面材２ｂの接合面９に跨って気密性袋２の側面（内面又は外面）に取り付けることによって、気密性袋２は第１の芯材に用いた板状の支え４の高さに相当する立ち上がり高さが少なくとも板状の支え４の全幅の範囲にわたって確保される。
【００２７】
板状の支えは単なる板を用いる場合に限らない。たとえば図３（ｂ）に示すように、板状の支え５の両側縁に上向きの腕５ａ、５ａと下向きの腕５ｂ、５ｂの対を設け、上面材２ａと下面材２ｂにそれぞれ取り付けたバンド８に板状の支え５を挿しこむとともに上向きの腕５ａと下向きの腕５ｂの対を両バンド８、８にそれぞれひっかけることによって板状の支え５を気密性袋２の外面又は内面に脱着可能に取り付けることができる。
【００２８】
第２の芯材はストッパ６である。ストッパ６は図３（ｃ）に示すように柔軟な一定長さのシートであり、気密性袋２の上面と下面すなわち上面材２ａの生地と下面材２ｂの生地を連結して気密性袋２の立ち上がり高さを一定の高さ以下の範囲に制限するものである。
【００２９】
図４に示すように被験者Ｍの頭部Ｈを支える部位の気密性袋２の上面と下面をストッパ６で連結して気密性袋２の立ち上がり高さを制限し、頸部Ｎを支える部位の気密性袋２の部分には上面材２ａと下面材２ｂの接合面９に跨って板状の支え４（又は５）を取り付けて気密性袋２の平均的な高さより高い立ち上がり高さを確保し、これによってマット１の表面を予め人体の頭部Ｈを受け入れるに必要な凹部と頸部Ｎを支える凸部を形成する曲面に賦形しておく。
【００３０】
被験者Ｍが上向きの姿勢で横臥したときに被験者Ｍの頭部Ｈは肩部から上傾方向に延びる頸部Ｎに支えられるのが無理のない姿勢である。画像診断は、被験者Ｍが動かないようにマット１の面に固定し、その姿勢を保たせて診断を行う。
【００３１】
マット１の表面に予め形成した被験者Ｍの頭部Ｈと頸部Ｎを受け入れるに必要な曲面の形状はかならずしも被験者Ｍの頸部Ｎや頭部Ｈの形状を正確に象る必要はなく、頭部Ｈ、頸部Ｎの概略の形状を象った形状に曲面が形成されていればよい。
【００３２】
図５において、被験者ＭはベッドＢ上に仰向けに横たわり、その枕の位置に頭部Ｈ及び頸部Ｎの受入に必要な曲面が形成されたマット１を置き、被験者Ｍの頭部Ｈを頭部受入用の凹部内に受け入れ、頸部Ｎを凸部に支え、マット１の形状を被験者の頭部Ｈ、頸部Ｎの形状に可能な限り沿わせ、次いで排気弁７に空気ポンプ（図示略）を差し込んで気密性袋２内を脱気する。
【００３３】
気密性袋２内が減圧されると、気密性袋２内の粒状体Ｐの充填密度が増大し、気密性袋２の減容によってクッション層３が被験者Ｍの頭部Ｈの形状になじんで変形し、頸部Ｎは支え４（又は５）の高さによって決定される立ち上がり高さの凸部に支えられ、頭部Ｈは、ストッパ６によって形成された凹部内に受け入れられて固定される。
【００３４】
被験者Ｍの頭部Ｈおよび頸部Ｎを固定することによって、被験者Ｍの体動が抑制され、頭部ＨのＣＴ、ＭＲＩ，ＰＥＴなどの画像診断の時間中、頭部Ｈ、頸部Ｎを含めて被験者Ｍの体位を安定に保持することができる。
【００３５】
以上の操作はＣＴ、ＭＲＩ，ＰＥＴなどの画像診断の場合の人体の体位の安定保持に限らず、放射線治療その他外科治療を行う場合に人体の頭部をベッドに固定するための要領は同じである。勿論人体の頭部の固定に限らない。手足その他の部位を一定角度で曲げた姿勢でベッド上に安定に固定保持することができる。さらには全身の固定にも適用することもできる。
以上、実施例１では、第１の芯材および第２の芯材として板状の支え４（又は５）とストッパ６を併用する例をして説明したが、勿論板状の支え４（又は５）とストッパ６をそれぞれ単独で使用することもできる。ＣＴ、ＭＲＩ，ＰＥＴなどの画像診断や、放射線治療その他外科治療を行う場合の操作要領は以下の実施例についても同じである。
【００３６】
（実施例２）
実施例２は、芯材に枠棒１１を用いる例である。実施例２では図６（ａ）のようにマット１のカバーである気密性袋２の表面材２ａと下面材２ｂの周縁を封止するとともに、その長手方向の両側縁に鞘１０を形成しておき、図６（ｂ）に示すように鞘１０の一端開口から直線状の枠棒１１を差し込むことによって脱気に伴う気密性袋２の長さ方向の収縮を抑制することができる。枠棒１１を図７（ａ）のように長手方向に沿って上凸ａ１と下凸ｂとの湾曲形状に屈曲しておき、この屈曲した枠棒１１を気密性袋２の両側縁の鞘１０内に差し込むと、気密性袋２は、枠棒１１の屈曲形状を倣って屈曲変形する。屈曲変形した気密性袋２内を脱気すると、そのまま固化し、気密性袋２は図８のように枠棒１１の上凸ａ１と下凸ｂの形状を象った凸部と凹部を有する湾曲形状に賦形される。
【００３７】
屈曲した枠棒１１の挿込によって形成される気密性袋２の凸部は、図５に示す被験者の頸部の支持面となり、気密性袋の凹部は被験者の頭部の受入面となるが、勿論被験者の頸部、頭部の受け入れに限らず、さらに必要により図７（ｂ）のように立ち上がり高さがさらに高い上凸ａ２に屈曲変形でき、さらには人体の頭部以外の特定部位を受け入れるに必要な形状に屈曲させることもできる。
【００３８】
なおこの実施例では枠棒１１を気密性袋２の長手方向の両側縁に形成した鞘１０内に脱着可能に差し込む例を説明したが、鞘１０の形成位置は必ずしも気密性袋２の長手方向の両側縁に限るものではなく、気密性袋２の長手方向の中央部位や、気密性袋２の短辺側の縁など任意に設定し、所定形状に屈曲変形させた枠棒１１を用いて気密性袋２を人体の特定部位の受け入れに適した形状に賦形することができる。さらに、枠棒１１を気密性袋２に取り付けるに際しては、枠棒１１に形成した鞘１０内に差し込む例に限らず、接着、縫着その他の手段によって枠棒１１を気密性袋２と一体にあるいは脱着可能に取り付けることができる。
【００３９】
（実施例３）
実施例３に用いる芯材は、図９のように予め所定形状に成形された弾力性を有する板状のホルダー１２である。板状のホルダー１２は、対の支持面部１３、１３と両支持面部１３，１３をつなぎ、両支持面部１３、１３を外開きの上傾姿勢に支えるヒンジ部１４とからなり、ヒンジ部１４の中央部分には突条１４ａを形成したものである。この実施例において、ホルダー１２の両支持面部１３、１３に跨ってマット１の気密性袋２を支え、図１０のようにヒンジ部１４の中央部分に頭部Ｈを載せると、ヒンジ部１４の中央の突条１４ａが頭部Ｈの重量を受けてヒンジ部１４を押し広げ、これによって外開きの上傾姿勢に保持された両支持面部１３，１３の間隔が狭まる。
【００４０】
これによって両支持面部１３，１３に跨って支持された気密性袋２が頭部Ｈの両側面に押し付けられる。この状態で気密性袋２内を脱気すると、気密性袋２が頭部Ｈの両側面に押し付けられた状態で固化し、頭部Ｈに圧着し、頭部Ｈを定位置に保持する。勿論頭部Ｈの保持に限らず、腕、足その他人体の特定部位を支えたときに芯材としてのホルダー１２の両支持面部１３，１３が人体の特定部位から重力を受けて弾性変形し、前記気密性袋２を圧着することによって人体の特定部位を定位置に保持することができる。
【００４１】
以上実施例において、排気弁には通常逆止弁が使用される。脱気用の逆止弁は、脱気側を順方向、吸気側を逆方向とする給・排気孔を備えており、医療用体位保持具の使用時に空気ポンプを取り付けて給・排気孔を自動的に開弁し、空気ポンプの駆動により気密性袋内を脱気・減容してクッション層を固化させ、使用後は給・排気弁を手動で開弁すると、気密性袋内に外気が吸引され、前記気密性袋は元の容積に復帰するのであるが、給・排気孔は必ずしも逆止弁によらなくても、気密性袋の一部に開口した単なる通気孔であってもよい。
【００４２】
すなわち、気密性袋の一部に開口した単なる通気孔であっても使用時に人体の重みを受けることによって気密性袋が加圧されると、気密性袋内の空気は通気孔を通して排気される。これによって気密性袋は減容され、クッション層の充填密度が増し、そのかぎりでクッション層を固化することができる。逆に使用後、気密性袋の加圧が解除されると、クッション層の復元力や芯材の反発力が気密性袋に作用し減容した前記気密性袋に通気孔から外気が吸引され、気密性袋は元の容積にもどる。このように、気密性袋に備える給・排気孔は逆止弁の給・排気孔に限らず、気密性袋の一部に開口した単なる通気孔であっても脱気によって気密性袋を減容させ、逆に外気の吸引によって元の容積に復帰させる機能が得られるのであって、例えば一瞬の撮影で終了する単純なレントゲン撮影のような短時間の固定であれば気密性袋の一部に通気孔を開口するだけで十分に対応することができる。
【００４３】
以上のように本発明によれば、気密性袋に組み合わす芯材として種々の形態のものを用いることができ、芯材を気密性袋内に組み込み、あるいは外部から気密性袋を支え、マットを芯材に保持させるとともに芯材の形状に沿って強制的に変形させることによって、マットの表面に凹部及び凸部を含む人体の特定部位を受け入れるために必要な形状に賦形することができる。
【産業上の利用可能性】
【００４４】
本発明は、ＣＴ、ＭＲＩ、ＰＥＴなどの画像診断、放射線治療その他各種外科手術を含む診断および施術などの医療行為において、被験者、患者の体動を抑制し、一定の体位を保たせる必要がある場合に広く適用が可能である。
【符号の説明】
【００４５】
１  マット、２  気密性袋、２ａ 上面材、２ｂ  下面材、３  クッション層、４，５、板状の支え、５a , ５ｂ  腕、６  ストッパ、７  排気弁、８  バンド、９  接合面、１０  鞘、１１  枠棒、１２  ホルダー、１３  支持面部、１４  ヒンジ部、１４ａ  突条、Ｐ  粒状体、Ｍ  被験者、Ｈ  頭部、Ｎ  頚部
【図１】
0006649744.tif 000002
【図２】
0006649744.tif 000003
【図３】
0006649744.tif 000004
【図４】
0006649744.tif 000005
【図５】
0006649744.tif 000006
【図６】
0006649744.tif 000007
【図７】
0006649744.tif 000008
【図８】
0006649744.tif 000009
【図９】
0006649744.tif 000010
【図１０】
0006649744.tif 000011
【図１１】
0006649744.tif 000012
【図１２】
0006649744.tif 000013
【図１３】
0006649744.tif 000014